(57)【要約】【課題】装着している複数のＳＩＭカードを使い分けることができる携帯端末を提供する。【解決手段】ＳＩＭカードを装着する第１のＳＩＭカードコネクタ３と第２のＳＩＭカードコネクタ５とを備える。制御部２０１が、操作部２０５に入力されたユーザの指示に従って、接続するＳＩＭカードコネクタを決定する。切替回路２０７が、制御部２０１の制御にしたがって、制御部２０１と接続するＳＩＭカードコネクタを切り替える。制御部２０１は、接続したＳＩＭカードコネクタが装着しているＳＩＭカードが記憶している情報を読み出す。【選択図】図１
2007208656.tif 000002
【特許請求の範囲】
【請求項１】
記憶媒体が記憶している情報を読み出す読み出し手段を備えた携帯端末において、
一の記憶媒体を保持する複数の保持手段と、
前記読み出し手段と、前記保持手段が保持している記憶媒体とを接続する接続手段と、
前記接続手段に、一の保持手段が保持している記憶媒体と前記読み出し手段とを接続させる制御手段とを備えた
ことを特徴とする携帯端末。
【請求項２】
制御手段は、接続手段を介して各保持手段に所定の信号を出力し、前記接続手段を介して保持手段が保持している記憶媒体から前記信号に応答する信号が入力された場合に、前記記憶媒体を保持している保持手段が、前記記憶媒体を保持していることを認識する
請求項１記載の携帯端末。
【請求項３】
ユーザからの指示を入力する操作手段を含み、
制御手段は、複数の保持手段が記憶媒体を保持している場合に、読み出し手段が情報を読み出す記憶媒体を前記操作手段に入力された指示に従って決定し、接続手段に、読み出すことを決定した前記記憶媒体を保持している保持手段と前記読み出し手段とを接続させる
請求項１または請求項２記載の携帯端末。
【請求項４】
情報を表示する表示手段を含み、
制御手段は、複数の保持手段が記憶媒体を保持している場合に、読み出し手段が情報を読み出す記憶媒体をユーザに選択させる画面を前記表示手段に表示させる
請求項３記載の携帯端末。
【請求項５】
制御手段は、表示手段に、読み出し手段が情報を読み出す記憶媒体を示す画面を表示させる
請求項４記載の携帯端末。
【請求項６】
情報を記憶する記憶手段を含み、
制御手段は、読み出し手段が情報を読み出す記憶媒体を示す情報を、前記記憶手段に記憶させる
請求項３から請求項５のうちいずれか１項記載の携帯端末。
【請求項７】
記憶媒体が記憶している情報を読み出す読み出し手段と、一の記憶媒体を保持する複数の保持手段と備えた携帯端末に搭載される情報読み出しプログラムにおいて、
コンピュータに、
一の保持手段が保持している記憶媒体と前記読み出し手段とを接続させる接続処理と、
各保持手段に所定の信号を出力し、保持手段が保持している記憶媒体から前記信号に応答する信号が入力された場合に、前記記憶媒体を保持している保持手段が、前記記憶媒体を保持していることを認識する認識処理とを実行させる
ための情報読み出しプログラム。
【発明の詳細な説明】
【技術分野】
【０００１】
本発明は、記憶媒体が記憶している情報を読み出す読み出し手段を備えた携帯端末および携帯端末に搭載される情報読み出しプログラムに関する。
【背景技術】
【０００２】
携帯電話会社が発行する、契約者情報を記録したＩＣカードであるＳＩＭ（Ｓｕｂｓｃｒｉｂｅｒ  Ｉｄｅｎｔｉｔｙ  Ｍｏｄｕｌｅ）カードを装着するＳＩＭカードコネクタ（ＳＩＭカードスロットともいう。）を有する携帯電話機がある。
【０００３】
そのような携帯電話機は、一般に、１つのＳＩＭカードコネクタを有しているため、ユーザは１枚のＳＩＭカードが記憶している電話番号を使用する。
【０００４】
ユーザが、１枚のＳＩＭカードで複数の携帯電話機を使用する場合には、ユーザが使用する各携帯電話機にそのＳＩＭカードを装着して、携帯電話機を使用する。
【０００５】
また、ユーザが、例えば、個人契約のＳＩＭカードと、会社契約のＳＩＭカードとを所持している場合、ユーザは、２台の携帯電話機を使用して２つの電話番号を使い分けることができる。しかし、携帯電話機を２台持ち歩かなければならず、また、電話帳登録等を２台の携帯電話機のそれぞれに行わなければならないため、不便である。
【０００６】
なお、特許文献１には、２つのＳＩＭカードを保持するソケットを有し、ユーザがソケットを回転させて、１つのＳＩＭカードコネクタにソケットが保持するＳＩＭカードの一方を装着することができる携帯電話機について記載されている。
【０００７】
特許文献２には、形式の異なるＳＩＭカードを装着する複数のＳＩＭカードコネクタを有する無線構成体について記載されている。
【０００８】
【特許文献１】特開２００４−２２８６９４号公報  （段落００２０〜００２６、図１）
【特許文献２】特開平７−３１２６３０号公報  （段落００１７〜００３３、図１）
【発明の開示】
【発明が解決しようとする課題】
【０００９】
特許文献１に記載されている携帯電話機では、使用するＳＩＭカードを切り替える場合に、ユーザがソケットを回転させる等の操作が必要であるが、そのような操作を行わずに、使用するＳＩＭカードを切り替えられることが好ましい。
【００１０】
また、複数のＳＩＭカードを装着している場合には、どのＳＩＭカードが記憶している情報にもとづく動作を行うのかをユーザが認識できることが好ましい。
【００１１】
そこで、本発明は、複数の記憶媒体を保持し、保持している記憶媒体を使い分ける携帯端末、および携帯端末に搭載される情報読み出しプログラムを提供することを目的とする。
【００１２】
また、本発明は、複数の記憶媒体を保持し、保持している記憶媒体を使い分け、どの記憶媒体を使用しているのかをユーザに容易に認識させることができる携帯端末、および携帯端末に搭載される情報読み出しプログラムを提供することを目的とする。
【課題を解決するための手段】
【００１３】
本発明による携帯端末は、記憶媒体が記憶している情報を読み出す読み出し手段を備えた携帯端末であって、一の記憶媒体を保持する複数の保持手段と、読み出し手段と、保持手段が保持している記憶媒体とを接続する接続手段と、接続手段に、一の保持手段が保持している記憶媒体と読み出し手段とを接続させる制御手段とを備えたことを特徴とする。
【００１４】
制御手段は、接続手段を介して各保持手段に所定の信号を出力し、接続手段を介して保持手段が保持している記憶媒体から信号に応答する信号が入力された場合に、記憶媒体を保持している保持手段が、記憶媒体を保持していることを認識してもよい。
【００１５】
ユーザからの指示を入力する操作手段を含み、制御手段は、複数の保持手段が記憶媒体を保持している場合に、読み出し手段が情報を読み出す記憶媒体を操作手段に入力された指示に従って決定し、接続手段に、読み出すことを決定した記憶媒体を保持している保持手段と読み出し手段とを接続させてもよい。
【００１６】
情報を表示する表示手段を含み、制御手段は、複数の保持手段が記憶媒体を保持している場合に、読み出し手段が情報を読み出す記憶媒体をユーザに選択させる画面を表示手段に表示させてもよい。
【００１７】
制御手段は、表示手段に、読み出し手段が情報を読み出す記憶媒体を示す画面を表示させてもよい。
【００１８】
情報を記憶する記憶手段を含み、制御手段は、読み出し手段が情報を読み出す記憶媒体を示す情報を、記憶手段に記憶させてもよい。
【００１９】
本発明による情報読み出しプログラムは、記憶媒体が記憶している情報を読み出す読み出し手段と、一の記憶媒体を保持する複数の保持手段と備えた携帯端末に搭載される情報読み出しプログラムであって、コンピュータに、一の保持手段が保持している記憶媒体と読み出し手段とを接続させる接続処理と、各保持手段に所定の信号を出力し、保持手段が保持している記憶媒体から信号に応答する信号が入力された場合に、記憶媒体を保持している保持手段が、記憶媒体を保持していることを認識する認識処理とを実行させることを特徴とする。
【発明の効果】
【００２０】
本発明によれば、複数の保持手段がそれぞれ保持している記憶媒体が記憶している情報を使い分けることができる。
【００２１】
制御手段に、出力した所定の信号に対する応答が入力された場合に、保持手段が記憶媒体を保持していることを認識するように構成されている場合には、制御手段は、記憶媒体を保持している保持手段を認識することができる。
【００２２】
複数の保持手段が記憶媒体を保持している場合に、読み出し手段が情報を読み出す記憶媒体をユーザに入力された指示に従って決定するように構成されている場合には、ユーザの指示に応じて、情報を読み出す記憶媒体を決定することができる。
【００２３】
また、情報を読み出す記憶媒体をユーザに選択させる画面を表示手段に表示させるように構成されている場合には、ユーザは、画面を確認して情報を読み出す記憶媒体を決定することができる。
【００２４】
表示手段が、読み出し手段が情報を読み出す記憶媒体を示す画面を表示するように構成されている場合には、ユーザは、読み出し手段が情報を読み出す記憶媒体を確認することができる。
【発明を実施するための最良の形態】
【００２５】
実施の形態１．
本発明の第１の実施の形態について、図面を参照して説明する。図１は、本発明による携帯端末の第１の実施の形態の一構成例を示すブロック図である。なお、ここでは、携帯端末の一例として、携帯電話機１００を例にして説明する。
【００２６】
携帯電話機１００は、アンテナ２０４を介して情報を送受信する無線部２０３と、情報を記憶するメモリ（記憶手段）２０２と、ユーザが指示を入力する操作部（操作手段）２０５と、情報を表示する表示部（表示手段）２０６と、ＳＩＭカード（記憶媒体）を装着（保持）する第１のＳＩＭカードコネクタ（保持手段）３および第２のＳＩＭカードコネクタ（保持手段）５と、使用するＳＩＭカードコネクタを切り替える切替回路（接続手段）２０７と、携帯電話機１００の全体を制御する制御部（読み出し手段、制御手段）２０１とを含む。
【００２７】
制御部２０１は、例えば、ＣＰＵによって実現される。無線部２０３は、アンテナ２０４を介して、携帯電話基地局に音声データや通信に必要な情報を搬送波にのせて送信したり、携帯電話基地局から音声データや通信に必要な情報を受信したりする。
【００２８】
以下、第１のＳＩＭカードコネクタ３に装着されるＳＩＭカードを第１のＳＩＭカード２として説明し、第２のＳＩＭカードコネクタ５に装着されるＳＩＭカードを第２のＳＩＭカード４として説明する。第１のＳＩＭカード２と第２のＳＩＭカード４とは、例えば、同一の形式のＳＩＭカードである。
【００２９】
図２は、携帯電話機１００がＳＩＭカードを装着する場合を示す説明図である。図２に示す例では、第１のＳＩＭカードコネクタ３に第１のＳＩＭカード２が装着され、第２のＳＩＭカードコネクタ５に第２のＳＩＭカード４が装着される。
【００３０】
図３は、携帯電話機１００とＳＩＭカードとの電気的接続を示す説明図である。各ＳＩＭカードには、電源入力端子であるＶＳＩＭ端子、リセット信号入力端子であるＲＥＳＥＴ端子、クロック信号入力端子であるＣＬＫ端子、およびデータを入出力するＤＡＴＡ端子が設けられている。なお、図３に示す例では、ＶＳＩＭ端子をＶＳＩＭと示し、ＲＥＳＥＴ端子をＲＥＳＥＴと示し、ＣＬＫ端子をＣＬＫと示し、ＤＡＴＡ端子をＤＡＴＡと示している。
【００３１】
制御部２０１には、電源制御信号出力端子であるＶＳＩＭ＿ｃｏｎｔ端子、リセット信号出力端子であるＲＥＳＥＴ端子、クロック信号出力端子であるＣＬＫ端子、データを入出力するＤＡＴＡ端子、および切替回路２０７を制御する切替信号出力端子であるＳＩＭ＿ＳＥＬ端子が設けられている。
【００３２】
制御部２０１に設けられているＲＥＳＥＴ端子、ＣＬＫ端子、ＤＡＴＡ端子、およびＳＩＭ＿ＳＥＬ端子は、切替回路２０７に接続されている。ＶＳＩＭ＿ｃｏｎｔ端子は、各ＳＩＭカードに電力を供給するレギュレータ３０５に接続されている。レギュレータ３０５は、制御部２０１が出力した電源制御信号に従って、切替回路２０７を介して各ＳＩＭカードに電力を供給する。
【００３３】
切替回路２０７は、レギュレータ３０５が供給する電力の出力先を切り替える電力スイッチ３０１、制御部２０１が出力したリセット信号の出力先を切り替えるリセット信号スイッチ３０２、制御部２０１が出力したクロック信号の出力先を切り替えるクロック信号スイッチ３０３、および制御部２０１が入出力するデータの入出力先を切り替えるデータスイッチ３０４を含む。
【００３４】
なお、リセット信号スイッチ３０２、およびクロック信号スイッチ３０３は、制御部２０１が出力した切替信号に従って、制御部２０１が出力した各信号の出力先を、第１のＳＩＭカードコネクタ３にするのか、または第２のＳＩＭカードコネクタ５にするのかを切り替える。
【００３５】
また、電力スイッチ３０１は、制御部２０１が出力した切替信号に従って、レギュレータ３０５が供給する電力の出力先を、第１のＳＩＭカードコネクタ３にするのか、または第２のＳＩＭカードコネクタ５にするのかを切り替える。
【００３６】
データスイッチ３０４は、制御部２０１が出力した切替信号に従って、制御部２０１が入出力するデータの入出力先を、第１のＳＩＭカードコネクタ３にするのか、または第２のＳＩＭカードコネクタ５にするのかを切り替える。
【００３７】
なお、携帯電話機１００は、コンピュータに、一のＳＩＭカードコネクタが保持（装着）しているＳＩＭカードと制御手段２０１とを接続させる接続処理と、各ＳＩＭカードコネクタに所定の信号を出力し、ＳＩＭカードコネクタが保持しているＳＩＭカードから信号に応答する信号が入力された場合に、ＳＩＭカードを保持しているＳＩＭカードコネクタが、ＳＩＭカードを保持していることを認識する認識処理とを実行させるための情報読み出しプログラムを搭載している。
【００３８】
次に、本発明の第１の実施の形態の動作について、図面を参照して説明する。図４は、本発明の第１の実施の形態の動作を説明するフローチャートである。
【００３９】
操作部２０５が電源オン操作された場合に（ステップＳ１０１）、制御部２０１は、第１のＳＩＭカード２と通信を行うために、各信号、電力、およびデータが第１のＳＩＭカードコネクタ３に出力されるように切替回路２０７が含む各スイッチを制御する切替信号を、ＳＩＭ＿ＳＥＬ端子から出力する。
【００４０】
切替回路２０７は、電力スイッチ３０１、リセット信号スイッチ３０２、クロック信号スイッチ３０３、およびデータスイッチ３０４を、各信号、電力、およびデータが第１のＳＩＭカードコネクタ３に出力されるように切り替える。
【００４１】
また、制御部２０１は、第１のＳＩＭカード２に電力を供給するために、レギュレータ３０５に電力の供給を指示する電源制御信号を、ＶＳＩＭ＿ｃｏｎｔ端子から出力する。
【００４２】
レギュレータ３０５は、電力の供給を指示する電源制御信号が入力された場合に、電力の供給を開始する。レギュレータ３０５は、切替回路２０７の電力スイッチ３０１、および第１のＳＩＭカードコネクタ３を介して、第１のＳＩＭカード２のＶＳＩＭ端子に電圧を加える。
【００４３】
制御部２０１は、ＲＥＳＥＴ端子からリセット信号を出力する。出力されたリセット信号は、切替回路２０７のリセット信号スイッチ３０２、および第１のＳＩＭカードコネクタ３を介して、第１のＳＩＭカード２のＲＥＳＥＴ端子に入力される。
【００４４】
制御部２０１は、ＣＬＫ端子からクロック信号を出力する。出力されたクロック信号は、切替回路２０７のクロック信号スイッチ３０３、および第１のＳＩＭカードコネクタ３を介して、第１のＳＩＭカード２のＣＬＫ端子に入力される。
【００４５】
第１のＳＩＭカード２が、ＲＥＳＥＴ端子に入力されたリセット信号に応答するデータを、ＤＡＴＡ端子から出力した場合に、出力されたデータは、第１のＳＩＭカードコネクタ３、および切替回路２０７のデータスイッチ３０４を介して、制御部２０１のＤＡＴＡ端子に入力される。
【００４６】
制御部２０１は、第１のＳＩＭカード２が出力したデータがＤＡＴＡ端子に入力された場合に、第１のＳＩＭカードコネクタ３が第１のＳＩＭカード２を装着していることを認識する（ステップＳ１０２のＹ）。制御部２０１は、第１のＳＩＭカード２が出力したデータがＤＡＴＡ端子に入力されない場合に、第１のＳＩＭカードコネクタ３が第１のＳＩＭカード２を装着していないことを認識する（ステップＳ１０２のＮ）。
【００４７】
制御部２０１は、第２のＳＩＭカード４と通信を行うために、各信号、電力、およびデータが第２のＳＩＭカードコネクタ５に出力されるように切替回路２０７が含む各スイッチを制御する切替信号を、ＳＩＭ＿ＳＥＬ端子から出力する。
【００４８】
切替回路２０７は、電力スイッチ３０１、リセット信号スイッチ３０２、クロック信号スイッチ３０３、およびデータスイッチ３０４を、各信号、電力、およびデータが第２のＳＩＭカードコネクタ５に出力されるように切り替える。
【００４９】
また、制御部２０１は、第２のＳＩＭカード４に電力を供給するために、レギュレータ３０５に電力の供給を指示する電源制御信号を、ＶＳＩＭ＿ｃｏｎｔ端子から出力する。
【００５０】
レギュレータ３０５は、電力の供給を指示する電源制御信号が入力された場合に、電力の供給を開始する。レギュレータ３０５は、切替回路２０７の電力スイッチ３０１、および第２のＳＩＭカードコネクタ５を介して、第２のＳＩＭカード４のＶＳＩＭ端子に電圧を加える。
【００５１】
制御部２０１は、ＲＥＳＥＴ端子からリセット信号を出力する。出力されたリセット信号は、切替回路２０７のリセット信号スイッチ３０２、および第２のＳＩＭカードコネクタ５を介して、第２のＳＩＭカード４のＲＥＳＥＴ端子に入力される。
【００５２】
制御部２０１は、ＣＬＫ端子からクロック信号を出力する。出力されたクロック信号は、切替回路２０７のクロック信号スイッチ３０３、および第２のＳＩＭカードコネクタ５を介して、第２のＳＩＭカード４のＣＬＫ端子に入力される。
【００５３】
第２のＳＩＭカード４が、ＲＥＳＥＴ端子に入力されたリセット信号に応答するデータを、ＤＡＴＡ端子から出力した場合に、出力されたデータは、第２のＳＩＭカードコネクタ５、および切替回路２０７のデータスイッチ３０４を介して、制御部２０１のＤＡＴＡ端子に入力される。
【００５４】
制御部２０１は、第２のＳＩＭカード４が出力したデータがＤＡＴＡ端子に入力された場合に、第２のＳＩＭカードコネクタ５が第２のＳＩＭカード４を装着していることを認識する（ステップＳ１０３およびＳ１０４のＹ）。制御部２０１は、第２のＳＩＭカード４が出力したデータがＤＡＴＡ端子に入力されない場合に、第２のＳＩＭカードコネクタ５が第２のＳＩＭカード４を装着していないことを認識する（ステップＳ１０３およびＳ１０４のＮ）。
【００５５】
制御部２０１は、第１のＳＩＭカードコネクタ３が第１のＳＩＭカード２を装着していることを認識し、第２のＳＩＭカードコネクタ５が第２のＳＩＭカード４を装着していることを認識した場合に（ステップＳ１０３のＹ）、第１のＳＩＭカード２と第２のＳＩＭカード４とのうち、どちらのＳＩＭカードを使用するのかをユーザに選択させる画面を、表示部２０６に表示させ、使用するＳＩＭカードをユーザに選択させる（ステップＳ１０５）。
【００５６】
操作部２０５に、第１のＳＩＭカード２を使用する指示が入力された場合（ステップＳ１０６のＹ）、および前述したステップＳ１０３で、制御部２０１が、第２のＳＩＭカードコネクタ５が第２のＳＩＭカード４を装着していないことを認識した場合（ステップＳ１０３のＮ）に、制御部２０１は、第１のＳＩＭカード２を使用することを示す画面を、表示部２０６に表示させる（ステップＳ１０７）。
【００５７】
そして、制御部２０１は、メモリ２０２に、第１のＳＩＭカードコネクタ３が装着している第１のＳＩＭカード２を使用することを記憶させる（ステップＳ１０８）。制御部２０１は、第１のＳＩＭカード２が記憶している情報を読み出し、読み出した情報にもとづいて、携帯電話機１００の各部を制御し、電源オン後の所定の動作を行う（ステップＳ１０９）。
【００５８】
ステップＳ１０６で、操作部２０５に、第２のＳＩＭカード４を使用する指示が入力された場合（ステップＳ１０６のＮ）、および前述したステップＳ１０４で、第２のＳＩＭカードコネクタ５が第２のＳＩＭカード４を装着していることを認識した場合（ステップＳ１０４のＹ）に、制御部２０１は、第２のＳＩＭカード４を使用することを示す画面を、表示部２０６に表示させる（ステップＳ１１０）。
【００５９】
そして、制御部２０１は、メモリ２０２に、第２のＳＩＭカードコネクタ５が装着している第２のＳＩＭカード４を使用することを記憶させる（ステップＳ１１１）。制御部２０１は、第２のＳＩＭカード４が記憶している情報を読み出し、読み出した情報にもとづいて、携帯電話機１００の各部を制御し、電源オン後の所定の動作を行う（ステップＳ１０９）。
【００６０】
前述したステップＳ１０４で、第２のＳＩＭカードコネクタ５が第２のＳＩＭカード４を装着していないことを認識した場合（ステップＳ１０４のＮ）に、制御部２０１は、ＳＩＭカードがＳＩＭカードコネクタに装着されていないことを示す画面を、表示部２０６に表示させる（ステップＳ１１２）。
【００６１】
そして、制御部２０１は、メモリ２０２に、ＳＩＭカードを使用しないことを記憶させる（ステップＳ１１３）。制御部２０１は、ＳＩＭカードを使用せずに携帯電話機１００の各部を制御し、電源オン後の所定の動作を行う（ステップＳ１０９）。
【００６２】
以上に述べたように、この実施の形態によれば、２つのＳＩＭカードコネクタと、切替回路２０７とを備えたので、携帯電話機１００は、第１のＳＩＭカード２が装着されている状態、第２のＳＩＭカード４が装着されている状態、第１のＳＩＭカード２と第２のＳＩＭカード４とが装着されている状態、およびＳＩＭカードが装着されていない状態に応じて動作することができる。
【００６３】
特に、第１のＳＩＭカード２と第２のＳＩＭカード４とが装着されている状態で、携帯電話機１００は、ユーザが選択したＳＩＭカードが記憶している情報にもとづいて動作することができる。
【００６４】
また、この実施の形態によれば、表示部２０６が、使用するＳＩＭカードを示す画面を表示するため、ユーザが、誤ったＳＩＭカードを使用することを防ぐことができる。
【００６５】
実施の形態２．
本発明の第２の実施の形態について、図面を参照して説明する。図５は、本発明による携帯端末の第２の実施の形態の一構成例を示すブロック図である。なお、ここでは、携帯端末の一例として、携帯電話機２００を例にして説明する。
【００６６】
第２の実施の形態の携帯電話機２００は、ＳＩＭカードを装着する第３のＳＩＭカードコネクタ７と、使用するＳＩＭカードコネクタを切り替える第１の切替回路２０８および第２の切替回路２０９とを有する点が第１の実施の形態の携帯電話機１００と異なる。第２の実施の形態の携帯電話機２００のその他の構成要素は、第１の実施の形態の携帯電話機１００と同様なため、図１と同じ符号を付し、説明を省略する。
【００６７】
図６は、携帯電話機２００がＳＩＭカードを装着する場合を示す説明図である。図６に示す例では、第１のＳＩＭカードコネクタ３に第１のＳＩＭカード２が装着され、第２のＳＩＭカードコネクタ５に第２のＳＩＭカード４が装着され、第３のＳＩＭカードコネクタ７に第３のＳＩＭカード６が装着される。
【００６８】
以下、第３のＳＩＭカードコネクタ７に装着されるＳＩＭカードを第３のＳＩＭカード６として説明する。第１のＳＩＭカード２と第２のＳＩＭカード４と第３のＳＩＭカード６とは、例えば、同一の形式のＳＩＭカードである。
【００６９】
図７は、携帯電話機２００とＳＩＭカードとの電気的接続を示す説明図である。第２の実施の形態において各ＳＩＭカードが備える端子は、第１の実施の形態における各ＳＩＭカードが備える端子と同様なため、説明を省略する。
【００７０】
第２の実施の形態の制御部２０１は、電源制御信号出力端子であるＶＳＩＭ＿ｃｏｎｔ端子、リセット信号出力端子であるＲＥＳＥＴ端子、クロック信号出力端子であるＣＬＫ端子、データを入出力するＤＡＴＡ端子、第１の切替回路２０８を制御する切替信号出力端子である第１のＳＩＭ＿ＳＥＬ端子、および第２の切替回路２０９を制御する切替信号出力端子である第２のＳＩＭ＿ＳＥＬ端子が設けられている。
【００７１】
制御部２０１に設けられているＲＥＳＥＴ端子、ＣＬＫ端子、第１のＳＩＭ＿ＳＥＬ端子、およびＤＡＴＡ端子は、第１の切替回路２０８に接続されている。第２のＳＩＭ＿ＳＥＬ端子は、第２の切替回路２０９に接続されている。ＶＳＩＭ＿ｃｏｎｔ端子は、各ＳＩＭカードに電力を供給するレギュレータ３０５に接続されている。レギュレータ３０５は、制御部２０１が出力した電源制御信号に従って、第１の切替回路２０８、または第１の切替回路２０８と第２の切替回路２０９とを介して各ＳＩＭカードに電力を供給する。
【００７２】
第１の切替回路２０８は、レギュレータ３０５が供給する電力の出力先を、第２の切替回路２０９と第３のＳＩＭカードコネクタ７とで切り替える第１の電力スイッチ３１１、制御部２０１が出力したリセット信号の出力先を、第２の切替回路２０９と第３のＳＩＭカードコネクタ７とで切り替える第１のリセット信号スイッチ３１２、制御部２０１が出力したクロック信号の出力先を、第２の切替回路２０９と第３のＳＩＭカードコネクタ７とで切り替える第１のクロック信号スイッチ３１３、および制御部２０１が入出力するデータの入出力先を、第２の切替回路２０９と第３のＳＩＭカードコネクタ７とで切り替える第１のデータスイッチ３１４を含む。
【００７３】
なお、第１のリセット信号スイッチ３１２、および第１のクロック信号スイッチ３１３は、制御部２０１が出力した切替信号に従って、制御部２０１が出力した各信号の出力先を、第２の切替回路２０９にするのか、または第３のＳＩＭカードコネクタ７にするのかを切り替える。
【００７４】
また、第１の電力スイッチ３１１は、制御部２０１が出力した切替信号に従って、レギュレータ３０５が供給する電力の出力先を、第２の切替回路２０９にするのか、または第３のＳＩＭカードコネクタ７にするのかを切り替える。
【００７５】
第１のデータスイッチ３１４は、制御部２０１が出力した切替信号に従って、制御部２０１が入出力するデータの入出力先を、第２の切替回路２０９にするのか、または第３のＳＩＭカードコネクタ７にするのかを切り替える。
【００７６】
第２の切替回路２０９は、第１の切替回路２０８を介してレギュレータ３０５が供給する電力の出力先を、第１のＳＩＭカードコネクタ３と第２のＳＩＭカードコネクタ５とで切り替える第２の電力スイッチ３２１、制御部２０１が第１の切替回路２０８を介して出力したリセット信号の出力先を、第１のＳＩＭカードコネクタ３と第２のＳＩＭカードコネクタ５とで切り替える第２のリセット信号スイッチ３２２、制御部２０１が第１の切替回路２０８を介して出力したクロック信号の出力先を、第１のＳＩＭカードコネクタ３と第２のＳＩＭカードコネクタ５とで切り替える第２のクロック信号スイッチ３２３、および制御部２０１が第１の切替回路２０８を介して入出力するデータの入出力先を、第１のＳＩＭカードコネクタ３と第２のＳＩＭカードコネクタ５とで切り替える第２のデータスイッチ３２４を含む。
【００７７】
なお、第２のリセット信号スイッチ３２２、および第２のクロック信号スイッチ３２３は、制御部２０１が出力した切替信号に従って、第１の切替回路２０８を介して制御部２０１が出力した各信号の出力先を、第１のＳＩＭカードコネクタ３にするのか、または第２のＳＩＭカードコネクタ５にするのかを切り替える。
【００７８】
また、第２の電力スイッチ３２１は、制御部２０１が出力した切替信号に従って、第１の切替回路２０８を介してレギュレータ３０５が供給する電力の出力先を、第１のＳＩＭカードコネクタ３にするのか、または第２のＳＩＭカードコネクタ５にするのかを切り替える。
【００７９】
第２のデータスイッチ３２４は、制御部２０１が出力した切替信号に従って、第１の切替回路２０８を介して制御部２０１が入出力するデータの入出力先を、第１のＳＩＭカードコネクタ３にするのか、または第２のＳＩＭカードコネクタ５にするのかを切り替える。
【００８０】
次に、本発明の第２の実施の形態の動作について、図面を参照して説明する。図８は、本発明の第２の実施の形態の動作を説明するフローチャートである。
【００８１】
操作部２０５が電源オン操作されると（ステップＳ２０１）、制御部２０１は、第１のＳＩＭカード２と通信を行うために、各信号、電力、およびデータが第１のＳＩＭカードコネクタ３に出力されるように第１の切替回路２０８および第２の切替回路２０９が含む各スイッチを制御する切替信号を、第１のＳＩＭ＿ＳＥＬ端子および第２のＳＩＭ＿ＳＥＬ端子から出力する。
【００８２】
第１の切替回路２０８は、第１の電力スイッチ３１１、第１のリセット信号スイッチ３１２、第１のクロック信号スイッチ３１３、および第１のデータスイッチ３１４を、各信号、電力、およびデータが第２の切替回路２０９に出力されるように切り替える。
【００８３】
第２の切替回路２０９は、第２の電力スイッチ３２１、第２のリセット信号スイッチ３２２、第２のクロック信号スイッチ３２３、および第２のデータスイッチ３２４を、各信号、電力、およびデータが第１のＳＩＭカードコネクタ３に出力されるように切り替える。
【００８４】
また、制御部２０１は、第１のＳＩＭカード２に電力を供給するために、レギュレータ３０５に電力の供給を指示する電源制御信号を、ＶＳＩＭ＿ｃｏｎｔ端子から出力する。
【００８５】
レギュレータ３０５は、電力の供給を指示する電源制御信号が入力された場合に、電力の供給を開始する。レギュレータ３０５は、第１の切替回路２０８の第１の電力スイッチ３１１、第２の切替回路２０９の第２の電力スイッチ３２１、および第１のＳＩＭカードコネクタ３を介して、第１のＳＩＭカード２のＶＳＩＭ端子に電圧を加える。
【００８６】
制御部２０１は、ＲＥＳＥＴ端子からリセット信号を出力する。出力されたリセット信号は、第１の切替回路２０８の第１のリセット信号スイッチ３１２、第２の切替回路２０９の第２のリセット信号スイッチ３２２、および第１のＳＩＭカードコネクタ３を介して、第１のＳＩＭカード２のＲＥＳＥＴ端子に入力される。
【００８７】
制御部２０１は、ＣＬＫ端子からクロック信号を出力する。出力されたクロック信号は、第１の切替回路２０８の第１のクロック信号スイッチ３１３、第２の切替回路２０９の第２のクロック信号スイッチ３２３、および第１のＳＩＭカードコネクタ３を介して、第１のＳＩＭカード２のＣＬＫ端子に入力される。
【００８８】
第１のＳＩＭカード２が、ＲＥＳＥＴ端子に入力されたリセット信号に応答するデータを、ＤＡＴＡ端子から出力した場合に、出力されたデータは、第１のＳＩＭカードコネクタ３、第２の切替回路２０９の第２のデータスイッチ３２４、および第１の切替回路２０８の第１のデータスイッチ３１４を介して、制御部２０１のＤＡＴＡ端子に入力される。
【００８９】
制御部２０１は、第１のＳＩＭカード２が出力したデータがＤＡＴＡ端子に入力された場合に、第１のＳＩＭカードコネクタ３が第１のＳＩＭカード２を装着していることを認識する（ステップＳ２０２のＹ）。制御部２０１は、第１のＳＩＭカード２が出力したデータがＤＡＴＡ端子に入力されない場合に、第１のＳＩＭカードコネクタ３が第１のＳＩＭカード２を装着していないことを認識する（ステップＳ２０２のＮ）。
【００９０】
制御部２０１は、第２のＳＩＭカード４と通信を行うために、各信号、電力、およびデータが第２のＳＩＭカードコネクタ５に出力されるように第１の切替回路２０８および第２の切替回路２０９が含む各スイッチを制御する切替信号を、第１のＳＩＭ＿ＳＥＬ端子および第２のＳＩＭ＿ＳＥＬ端子から出力する。
【００９１】
第１の切替回路２０８は、第１の電力スイッチ３１１、第１のリセット信号スイッチ３１２、第１のクロック信号スイッチ３１３、および第１のデータスイッチ３１４を、各信号、電力、およびデータが第２の切替回路２０９に出力されるように切り替える。
【００９２】
第２の切替回路２０９は、第２の電力スイッチ３２１、第２のリセット信号スイッチ３２２、第２のクロック信号スイッチ３２３、および第２のデータスイッチ３２４を、各信号、電力、およびデータが第２のＳＩＭカードコネクタ５に出力されるように切り替える。
【００９３】
また、制御部２０１は、第２のＳＩＭカード４に電力を供給するために、レギュレータ３０５に電力の供給を指示する電源制御信号を、ＶＳＩＭ＿ｃｏｎｔ端子から出力する。
【００９４】
レギュレータ３０５は、電力の供給を指示する電源制御信号が入力された場合に、電力の供給を開始する。レギュレータ３０５は、第１の切替回路２０８の第１の電力スイッチ３１１、第２の切替回路２０９の第２の電力スイッチ３２１、および第２のＳＩＭカードコネクタ５を介して、第２のＳＩＭカード４のＶＳＩＭ端子に電圧を加える。
【００９５】
制御部２０１は、ＲＥＳＥＴ端子からリセット信号を出力する。出力されたリセット信号は、第１の切替回路２０８の第１のリセット信号スイッチ３１２、第２の切替回路２０９の第２のリセット信号スイッチ３２２、および第２のＳＩＭカードコネクタ５を介して、第２のＳＩＭカード４のＲＥＳＥＴ端子に入力される。
【００９６】
制御部２０１は、ＣＬＫ端子からクロック信号を出力する。出力されたクロック信号は、第１の切替回路２０８のクロック信号スイッチ３１３、第２の切替回路２０９のクロック信号スイッチ３２３、および第２のＳＩＭカードコネクタ５を介して、第２のＳＩＭカード４のＣＬＫ端子に入力される。
【００９７】
第２のＳＩＭカード４が、ＲＥＳＥＴ端子に入力されたリセット信号に応答するデータを、ＤＡＴＡ端子から出力した場合に、出力されたデータは、第２のＳＩＭカードコネクタ５、第２の切替回路２０９のデータスイッチ３２４、および第１の切替回路２０８のデータスイッチ３１４を介して、制御部２０１のＤＡＴＡ端子に入力される。
【００９８】
制御部２０１は、第２のＳＩＭカード４が出力したデータがＤＡＴＡ端子に入力された場合に、第２のＳＩＭカードコネクタ５が第２のＳＩＭカード４を装着していることを認識する（ステップＳ２０３およびＳ２０４のＹ）。制御部２０１は、第２のＳＩＭカード４が出力したデータがＤＡＴＡ端子に入力されない場合に、第２のＳＩＭカードコネクタ５が第２のＳＩＭカード４を装着していないことを認識する（ステップＳ２０３およびＳ２０４のＮ）。
【００９９】
制御部２０１は、第３のＳＩＭカード６と通信を行うために、各信号、電力、およびデータが第３のＳＩＭカードコネクタ７に出力されるように第１の切替回路２０８が含む各スイッチを制御する切替信号を、第１のＳＩＭ＿ＳＥＬ端子から出力する。
【０１００】
第１の切替回路２０８は、第１の電力スイッチ３１１、第１のリセット信号スイッチ３１２、第１のクロック信号スイッチ３１３、および第１のデータスイッチ３１４を、各信号、電力、およびデータが第３のＳＩＭカードコネクタ７に出力されるように切り替える。
【０１０１】
また、制御部２０１は、第３のＳＩＭカード６に電力を供給するために、レギュレータ３０５に電力の供給を指示する電源制御信号を、ＶＳＩＭ＿ｃｏｎｔ端子から出力する。
【０１０２】
レギュレータ３０５は、電力の供給を指示する電源制御信号が入力された場合に、電力の供給を開始する。レギュレータ３０５は、第１の切替回路２０８の第１の電力スイッチ３１１、および第３のＳＩＭカードコネクタ７を介して、第３のＳＩＭカード６のＶＳＩＭ端子に電圧を加える。
【０１０３】
制御部２０１は、ＲＥＳＥＴ端子からリセット信号を出力する。出力されたリセット信号は、第１の切替回路２０８の第１のリセット信号スイッチ３１２、および第３のＳＩＭカードコネクタ７を介して、第３のＳＩＭカード６のＲＥＳＥＴ端子に入力される。
【０１０４】
制御部２０１は、ＣＬＫ端子からクロック信号を出力する。出力されたクロック信号は、第１の切替回路２０８のクロック信号スイッチ３１３、および第３のＳＩＭカードコネクタ７を介して、第３のＳＩＭカード６のＣＬＫ端子に入力される。
【０１０５】
第３のＳＩＭカード６が、ＲＥＳＥＴ端子に入力されたリセット信号に応答するデータを、ＤＡＴＡ端子から出力した場合に、出力されたデータは、第３のＳＩＭカードコネクタ７、および第１の切替回路２０８のデータスイッチ３１４を介して、制御部２０１のＤＡＴＡ端子に入力される。
【０１０６】
制御部２０１は、第３のＳＩＭカード６が出力したデータがＤＡＴＡ端子に入力された場合に、第３のＳＩＭカードコネクタ７が第３のＳＩＭカード６を装着していることを認識する（ステップＳ２０５、Ｓ２０６、Ｓ２０７、およびＳ２０８のＹ）。制御部２０１は、第３のＳＩＭカード６が出力したデータがＤＡＴＡ端子に入力されない場合に、第３のＳＩＭカードコネクタ７が第３のＳＩＭカード６を装着していないことを認識する（ステップＳ２０５、Ｓ２０６、Ｓ２０７、およびＳ２０８のＮ）。
【０１０７】
制御部２０１は、第１のＳＩＭカードコネクタ３が第１のＳＩＭカード２を装着していることを認識し、第２のＳＩＭカードコネクタ５が第２のＳＩＭカード４を装着していることを認識し、第３のＳＩＭカードコネクタ７が第３のＳＩＭカード６を装着していることを認識した場合に（ステップＳ２０５のＹ）、第１のＳＩＭカード２と第２のＳＩＭカード４と第３のＳＩＭカード６とのうち、どのＳＩＭカードを使用するのかをユーザに選択させる画面を、表示部２０６に表示させ、使用するＳＩＭカードをユーザに選択させる（ステップＳ２０９）。
【０１０８】
制御部２０１は、第１のＳＩＭカードコネクタ３が第１のＳＩＭカード２を装着していることを認識し、第２のＳＩＭカードコネクタ５が第２のＳＩＭカード４を装着していることを認識した場合に（ステップＳ２０５のＮ）、第１のＳＩＭカード２と第２のＳＩＭカード４とのうち、どちらのＳＩＭカードを使用するのかをユーザに選択させる画面を、表示部２０６に表示させ、使用するＳＩＭカードをユーザに選択させる（ステップＳ２１０）。
【０１０９】
制御部２０１は、第１のＳＩＭカードコネクタ３が第１のＳＩＭカード２を装着していることを認識し、第３のＳＩＭカードコネクタ７が第３のＳＩＭカード６を装着していることを認識した場合に（ステップＳ２０６のＹ）、第１のＳＩＭカード２と第３のＳＩＭカード６とのうち、どちらのＳＩＭカードを使用するのかをユーザに選択させる画面を、表示部２０６に表示させ、使用するＳＩＭカードをユーザに選択させる（ステップＳ２１１）。
【０１１０】
操作部２０５に、第１のＳＩＭカード２を使用する指示が入力された場合（ステップＳ２１２、Ｓ２１３、およびＳ２１４のＹ）、および前述したステップＳ２０６で、制御部２０１が、第３のＳＩＭカードコネクタ７が第３のＳＩＭカード６を装着していないことを認識した場合（ステップＳ２０６のＮ）に、制御部２０１は、第１のＳＩＭカード２を使用することを示す画面を、表示部２０６に表示させる（ステップＳ２１５）。
【０１１１】
そして、制御部２０１は、メモリ２０２に、第１のＳＩＭカードコネクタ３が装着している第１のＳＩＭカード２を使用することを記憶させる（ステップＳ２１６）。制御部２０１は、第１のＳＩＭカード２が記憶している情報を読み出し、読み出した情報にもとづいて、携帯電話機２００の各部を制御し、電源オン後の所定の動作を行う（ステップＳ２１７）。
【０１１２】
制御部２０１は、第２のＳＩＭカードコネクタ５が第２のＳＩＭカード４を装着していることを認識し、第３のＳＩＭカードコネクタ７が第３のＳＩＭカード６を装着していることを認識した場合に（ステップＳ２０７のＹ）、第２のＳＩＭカード４と第３のＳＩＭカード６とのうち、どちらのＳＩＭカードを使用するのかをユーザに選択させる画面を、表示部２０６に表示させ、使用するＳＩＭカードをユーザに選択させる（ステップＳ２１８）。
【０１１３】
操作部２０５に、第２のＳＩＭカード４を使用する指示が入力された場合（ステップＳ２１２がＮでありＳ２１９がＹ、Ｓ２１３のＮ、およびＳ２１９のＹ）、および前述したステップＳ２０７で、制御部２０１が、第３のＳＩＭカードコネクタ７が第３のＳＩＭカード６を装着していないことを認識した場合（ステップＳ２０７のＮ）に、制御部２０１は、第２のＳＩＭカード４を使用することを示す画面を、表示部２０６に表示させる（ステップＳ２２０）。
【０１１４】
そして、制御部２０１は、メモリ２０２に、第２のＳＩＭカードコネクタ５が装着している第２のＳＩＭカード４を使用することを記憶させる（ステップＳ２２１）。制御部２０１は、第２のＳＩＭカード４が記憶している情報を読み出し、読み出した情報にもとづいて、携帯電話機２００の各部を制御し、電源オン後の所定の動作を行う（ステップＳ２１７）。
【０１１５】
操作部２０５に、第３のＳＩＭカード６を使用する指示が入力された場合（ステップＳ２１４のＮ、およびＳ２１９のＮ）、および前述したステップＳ２０８で、制御部２０１が、第３のＳＩＭカードコネクタ７が第３のＳＩＭカード６を装着していることを認識した場合（ステップＳ２０８のＹ）に、制御部２０１は、第３のＳＩＭカード６を使用することを示す画面を、表示部２０６に表示させる（ステップＳ２２２）。
【０１１６】
そして、制御部２０１は、メモリ２０２に、第３のＳＩＭカードコネクタ７が装着している第３のＳＩＭカード６を使用することを記憶させる（ステップＳ２２３）。制御部２０１は、第３のＳＩＭカード６が記憶している情報を読み出し、読み出した情報にもとづいて、携帯電話機２００の各部を制御し、電源オン後の所定の動作を行う（ステップＳ２１７）。
【０１１７】
前述したステップＳ２０８で、第３のＳＩＭカードコネクタ７が第３のＳＩＭカード６を装着していないことを認識した場合（ステップＳ２０８のＮ）に、制御部２０１は、ＳＩＭカードがＳＩＭカードコネクタに装着されていないことを示す画面を、表示部２０６に表示させる（ステップＳ２２４）。
【０１１８】
そして、制御部２０１は、メモリ２０２に、ＳＩＭカードを使用しないことを記憶させる（ステップＳ２２５）。制御部２０１は、ＳＩＭカードを使用せずに携帯電話機２００の各部を制御し、電源オン後の所定の動作を行う（ステップＳ２１７）。
【０１１９】
以上に述べたように、この実施の形態によれば、３つのＳＩＭカードコネクタと、第１の切替回路２０８と、第２の切替回路２０９とを備えたので、携帯電話機２００は、各ＳＩＭカードの装着の有無に応じて動作することができる。
【０１２０】
特に、複数のＳＩＭカードが装着されている状態で、携帯電話機２００は、ユーザが選択したＳＩＭカードが記憶している情報にもとづいて動作することができる。
【０１２１】
また、この実施の形態によれば、表示部２０６が、使用するＳＩＭカードを示す画面を表示するため、ユーザが、誤ったＳＩＭカードを使用することを防ぐことができる。
【０１２２】
なお、携帯電話機がＳＩＭカードコネクタを２つまたは３つ備えている場合を例に各実施の形態を説明したが、本発明はこれに限定されるものではなく、４つ以上のＳＩＭカードコネクタと、それらに対応する切替回路とを備えていてもよい。
【０１２３】
また、以上に述べた各実施の形態では、携帯端末として携帯電話機を例に説明したが、本発明はこれに限定されるものではなく、ＰＨＳ（Ｐｅｒｓｏｎａｌ  Ｈａｎｄｙ  ｐｈｏｎｅ  Ｓｙｓｔｅｍ）端末や、通信機能を有するＰＤＡ（Ｐｅｒｓｏｎａｌ  Ｄｉｇｉｔａｌ  Ａｓｓｉｓｔａｎｔ）端末等に適用してもよい。
【産業上の利用可能性】
【０１２４】
本発明は、携帯端末に適用することができる。特に、第２．５世代や第３世代の携帯電話機に適用することができる。
【図面の簡単な説明】
【０１２５】
【図１】携帯端末の第１の実施の形態の一構成例を示すブロック図である。
【図２】第１の実施の形態において、携帯電話機がＳＩＭカードを装着する場合を示す説明図である。
【図３】第１の実施の形態において、携帯電話機とＳＩＭカードとの電気的接続を示す説明図である。
【図４】本発明の第１の実施の形態の動作を説明するフローチャートである。
【図５】携帯端末の第２の実施の形態の一構成例を示すブロック図である。
【図６】第２の実施の形態において、携帯電話機がＳＩＭカードを装着する場合を示す説明図である。
【図７】第２の実施の形態において、携帯電話機とＳＩＭカードとの電気的接続を示す説明図である。
【図８】本発明の第２の実施の形態の動作を説明するフローチャートである。
【符号の説明】
【０１２６】
２  第１のＳＩＭカード
３  第１のＳＩＭカードコネクタ
４  第２のＳＩＭカード
５  第２のＳＩＭカードコネクタ
６  第３のＳＩＭカード
７  第３のＳＩＭカードコネクタ
１００、２００  携帯電話機
２０１  制御部
２０２  メモリ
２０３  無線部
２０４  アンテナ
２０５  操作部
２０６  表示部
２０７  切替回路
２０８  第１の切替回路
２０９  第２の切替回路
３０１  電力スイッチ
３０２  リセット信号スイッチ
３０３  クロック信号スイッチ
３０４  データスイッチ
３０５  レギュレータ
３１１  第１の電力スイッチ
３１２  第１のリセット信号スイッチ
３１３  第１のクロック信号スイッチ
３１４  第１のデータスイッチ
３２１  第２の電力スイッチ
３２２  第２のリセット信号スイッチ
３２３  第２のクロック信号スイッチ
３２４  第２のデータスイッチ
【図１】
2007208656.tif 000003
【図２】
2007208656.tif 000004
【図３】
2007208656.tif 000005
【図４】
2007208656.tif 000006
【図５】
2007208656.tif 000007
【図６】
2007208656.tif 000008
【図７】
2007208656.tif 000009
【図８】
2007208656.tif 000010